(57)【要約】【課題】複数の地紋画像の総サイズが用紙サイズより大きくなる場合であっても、ユーザにとって重要度が高い地紋画像を確実に用紙に印刷する。【解決手段】設定した複数の地紋画像の総サイズが用紙サイズよりも小さいかどうかを判断し（Ｓ６００３）、用紙サイズが地紋画像の総サイズよりも小さい場合には、印刷する地紋画像の優先順位をユーザが設定する（Ｓ６００７）。本発明では、その優先順位にしたがって優先順位の高い地紋画像から順番に用紙に印刷する。【選択図】図３３
2007129428.tif 000002
【特許請求の範囲】
【請求項１】
画像データを入力する画像入力手段と、
前記画像データに付加する地紋画像を生成する地紋画像生成手段と、
印刷用紙のサイズと前記地紋画像のサイズとを比較するサイズ比較手段と、
前記画像データに前記地紋画像が付加された画像を前記印刷用紙に印刷する画像出力手段と
を備えることを特徴とする画像処理装置。
【請求項２】
複数種の前記地紋画像が印刷設定された場合に、優先的に印刷する地紋画像を設定する優先地紋画像設定手段を更に備え、
前記サイズ比較手段が、前記地紋画像のサイズが前記印刷用紙のサイズよりも大きいと判断した場合には、前記地紋画像生成手段は、前記優先地紋画像設定手段による設定内容にしたがって前記地紋画像を生成することを特徴とする請求項１記載の画像処理装置。
【請求項３】
前記地紋画像において優先的に印刷する文字列又は記号列を設定する優先文字列・記号列設定手段を更に備え、
前記サイズ比較手段が、前記地紋画像のサイズが前記印刷用紙のサイズよりも大きいと判断した場合には、前記地紋画像生成手段は、前記優先文字列・記号列設定手段による設定内容にしたがって前記地紋画像を生成することを特徴とする請求項１又は２に記載の画像処理装置。
【請求項４】
前記サイズ比較手段が、前記地紋画像のサイズが前記印刷用紙のサイズよりも大きいと判断した場合に、前記地紋画像のサイズより大きな印刷用紙サイズを再設定する用紙サイズ設定手段を更に備えることを特徴とする請求項１〜３のいずれか１項に記載の画像処理装置。
【請求項５】
画像データを入力する入力ステップと、
前記画像データに付加する地紋画像を生成する生成ステップと、
印刷用紙のサイズと前記地紋画像のサイズとを比較する比較ステップと、
前記画像データに前記地紋画像が付加された画像を前記印刷用紙に印刷する印刷ステップと
を含むことを特徴とする画像処理方法。
【請求項６】
複数種の前記地紋画像が印刷設定された場合に、優先的に印刷する地紋画像を設定する優先地紋画像設定ステップを更に備え、
前記比較ステップが、前記地紋画像のサイズが前記印刷用紙のサイズよりも大きいと判断した場合には、前記生成ステップは、前記優先地紋画像設定ステップによる設定内容にしたがって前記地紋画像を生成すること特徴とする請求項５記載の画像処理方法。
【請求項７】
前記地紋画像において優先的に印刷する文字列又は記号列を設定する優先文字列・記号列設定ステップを更に備え、
前記比較ステップが、前記地紋画像のサイズが前記印刷用紙のサイズよりも大きいと判断した場合には、前記生成ステップは、前記優先文字列・記号列設定ステップによる設定内容にしたがって前記地紋画像を生成することを特徴とする請求項５又は６に記載の画像処理方法。
【請求項８】
前記比較ステップが、前記地紋画像のサイズが前記印刷用紙のサイズよりも大きいと判断した場合には、前記地紋画像のサイズより大きな印刷用紙サイズを再設定する用紙サイズ設定ステップを更に備えることを特徴とする請求項５〜７のいずれか１項に記載の画像処理方法。
【発明の詳細な説明】
【技術分野】
【０００１】
本発明は、画像処理装置に関するものである。より詳細には、スキャナ等の画像入力装置とプリンタ等の印刷装置を備える画像処理装置等において、複写物と原本とを明確に区別するための地紋が原画像に付加された地紋付き画像を生成、印刷する画像処理装置等に関する。
【背景技術】
【０００２】
従来、帳票や住民票等の秘密性が高い文書の複写を禁止又は抑止するために、特殊な印刷を施した用紙（「偽造防止用紙」と呼ばれる場合がある。）を用い、当該用紙に帳票等のデータを印刷することによって帳票等の原本を作成していた。偽造防止用紙は、人間にとって視認しがたい形態で予め所定の文字（例えば、「禁複写」という文字）等が印刷された用紙であり、複写機等を用いて当該用紙を複写すると当該所定の文字等を人間にとって視認可能な形態で浮び上がらせる用紙である。この用紙を原本に用いることによって、原本を複写した者に対してその複写物の使用等を躊躇させる心理的効果をもたらす。さらには、偽造防止用紙に印刷されている帳票等を複写することを抑止・牽制する効果もある。
【０００３】
しかし、偽造防止用紙は、通常の用紙よりも値段が高い。また、偽造防止用紙は、その用紙の製作時に印刷された文字等しか浮び上がらせることができないため、用途が限られる。
【０００４】
一方、様々なコンテンツのデジタル化が進められている。しかしながら、帳票や住民票等のコンテンツのデジタル化は遅れており、コンピュータを用いて作成したコンテンツを、プリンタ等を用いて紙に印刷して利用することが多い。
【０００５】
こうした状況に応じて、従来は製版等の方法で予め作成していた偽造防止用紙を、コンピュータとプリンタを用いて作成する技術が注目されている(特許文献１参照)。この技術は、コンピュータを用いて作られたコンテンツを印刷出力する際に、コンテンツデータの生成に加えて、地紋画像と呼ばれる画像データを生成し、コンテンツデータと地紋画像の画像データとを重ねて印刷出力するものである。こうして印刷出力されたものが原本となる。地紋画像は複写牽制紋様とも呼ばれる。なぜなら、原本上に地紋画像が印刷されていると、使用者は、原本の複写を躊躇するからである。地紋画像は、原本（プリンタで出力した印刷物）においては単なる模様や背景画像等に見えるが、複写すると複写物上に所定の文字やイメージ等の形態で顕在化する。したがって、地紋画像が印刷されている原本は、偽造防止用紙と同様に、複写牽制効果をもたらす。
【０００６】
コンピュータを用いて作成した地紋画像をコンテンツデータに重ねて出力する場合、当然のことながら通常の印刷用の紙等を用いることができるため、偽造防止用紙を用いる場合に比べて印刷コストの面で有利である。更に、コンテンツデータを印刷出力する際に地紋画像を生成することができるため、地紋画像の色等はもちろん、原本の複写時に顕像化させる文字等を自由に設定することができる。例えば、出力日時や印刷装置固有の情報等を地紋画像とすることもできる。
【０００７】
さて、地紋画像は、上述したように、原本を複写すると複写前には視認できなかった所定の文字（例えば、「禁複写」という文字）等が顕在化するため、その複写物を使用等することを抑止する効果を奏するものである。この効果を奏するため、地紋画像は、基本的に、複写物において原本と同様の画像が残る領域と、複写物において原本に存在する画像が消えるか又は上記の残る領域の画像に較べて薄くなる領域の２つの領域から構成される。この２つの領域から構成される地紋画像は、これを印刷出力した状態では上記２つの領域における濃度がほぼ同じ濃度になっているのが好ましい。つまり、印刷出力された地紋画像は、マクロ的には、人間の視覚上認識し難いように構成されている必要がある。
【０００８】
地紋画像の印刷出力物においては隠されているが、当該印刷出力物を複写した複写物においては人間の視覚上認識可能な形態で現れる画像領域を「潜像(又は潜像画像)」と呼ぶ。また、複写物上は消えるか又は複写物上で顕像化した潜像の濃度に比べて低濃度の画像領域を「背景(又は背景画像)」と便宜的に呼ぶ。地紋画像は、基本的にこの潜像画像と背景画像からなるものである。なお、ユーザインタフェース上の用語として「潜像」を「前景」と呼ぶ場合もある。
【０００９】
潜像画像は、所定の領域内においてドットが集中するように構成される。これに対して、背景画像は、所定の領域内においてドットが分散するように構成される。そして、これら２つの領域内のドットの濃度がほぼ同じになるよう構成することにより、地紋画像の印刷出力物において、潜像画像（潜像部）と背景画像（背景部）の区別がつきにくくすることができる。
【００１０】
図１は、地紋画像における潜像画像と背景画像の各領域におけるドットの状態を示す図である。
【００１１】
図１に示すように、地紋画像は、所定の領域内に小さなドットが分散して配置される背景部と、大きなドットが集中して配置される潜像部とから構成される。背景部の領域と潜像部の領域におけるドットは、それぞれ異なる網点処理や異なるディザ処理を用いて生成することができる。
【００１２】
例えば、網点処理を用いて地紋画像を生成する場合には、潜像部に対しては低い線数での網点処理を行い、背景部に対しては高い線数での網点処理を行うのが好適である。さらに、ディザ処理を用いて地紋画像を生成する場合には、潜像部に対してはドット集中型ディザマトリクスを用いたディザ処理を行い、背景部に対してはドット分散型ディザマトリクスを用いたディザ処理を行うのが好適である。
【００１３】
一般に、複写機における読み取り部及び画像形成部は、原稿上の微小なドットを読み取るための入力解像度や微小なドットを再現するための出力解像度に依存した再現能力の限界レベルを有する。地紋画像の背景部のドットが複写機で再現できるドットの限界レベルより小さく形成され、かつ、潜像部のドットが限界レベルより大きく形成されている場合、複写物上で潜像部のドットは再現され、背景部のドットは再現されない。この再現特性を利用することによって、地紋画像を複写した複写物上に潜像が顕在化される。
【００１４】
以下の説明では、複写物上で顕在化する画像を顕像と呼ぶ。なお、背景部が複写によって再現されたとしても、複写物上における潜像部が明らかに認識できるレベルであれば背景部が再現されない場合と同様の効果を得ることができる。
【００１５】
図２(ａ)、(ｂ)は、複写によって、地紋画像が顕像化する様子を示す概念図である。同図は、集中したドット（大きなドット）は複写物において再現され、分散したドット（小さなドット）は複写物において再現されないことを概念的に示す。
【００１６】
なお、地紋印刷は上記構成に限定されるものではなく、複写物において文字列等が視認できるように再現できればよい。つまり、文字列等が背景部となり、複写時に白抜き文字のような状態で文字列等が示されたとしても、地紋印刷の目的は達成される。
【００１７】
【特許文献１】特開２００１−１９７２９７号公報
【発明の開示】
【発明が解決しようとする課題】
【００１８】
地紋画像を生成、印刷できる画像処理装置において、複数の地紋画像を用紙に印刷する場合、地紋画像の総サイズが用紙サイズよりも大きくなり、ユーザにとって重要度が高い地紋画像が用紙に適切に印刷されないという課題があった。
【課題を解決するための手段】
【００１９】
本発明は、画像データを入力する画像入力手段と、画像データに付加する地紋画像を生成する地紋画像生成手段と、印刷用紙のサイズと地紋画像のサイズとを比較するサイズ比較手段と、画像データに地紋画像が付加された画像を印刷用紙に印刷する画像出力手段とを備えることを特徴とする。
【００２０】
また本発明は、画像データを入力する入力ステップと、画像データに付加する地紋画像を生成する生成ステップと、印刷用紙のサイズと前記地紋画像のサイズとを比較する比較ステップと、画像データに地紋画像が付加された画像を印刷用紙に印刷する印刷ステップとを含むことを特徴とする。
【発明の効果】
【００２１】
本発明によれば、複数の地紋画像の総サイズが用紙サイズより大きくなる場合であっても、ユーザにとって重要度が高い地紋画像を確実に用紙に印刷できる。その理由は、複数の地紋画像を印刷する場合には、複数の地紋画像の総サイズと用紙サイズとを比較し、比較結果に基づいて印刷処理を行うからである。すなわち、複数の地紋画像の総サイズが用紙サイズよりも大きい場合には、各地紋画像に対して印刷の優先順位をつけ、優先順位が高い地紋画像から順番に用紙に印刷するからである。
【発明を実施するための最良の形態】
【００２２】
以下、図面を用いて本発明の一実施形態を詳細に説明する。
【００２３】
以下に説明する実施形態においては、地紋画像を有する印刷出力物を複写した複写物上で顕像化する領域を「潜像部」又は「前景部」と呼ぶ。また、複写物上で消失する領域又は複写物上における潜像部の濃度に比較して低濃度となる領域を「背景部」と呼ぶ。
【００２４】
本実施形態では、潜像部としてテキスト情報やイメージ情報を入力し、複写物上において、これらのテキスト情報やイメージ情報が背景部よりも高濃度で認識可能に再現される形態を有する地紋画像を用いて説明する。しかしながら、地紋画像はこの形態に限らない。例えば、テキスト情報又はイメージ情報を背景部として設定し、かつ、背景部の周囲の領域を潜像部として設定することで、複写物上において、テキスト情報やイメージ情報が白抜きのように表現される形態であってもよい。
【００２５】
なお、本発明は、地紋画像の種類やその生成処理、色、形状、サイズ等によって制限されるものではない。
【００２６】
１．画像形成システムの構成例
図４は、本発明を適用するのに好適な画像形成システムの全体構成を示すブロック図である。本システムは、画像形成装置２００、２２０、２３０と、ホストコンピュータであるＰＣ（パーソナルコンピュータ）２４０を備える。また、各装置は、ＬＡＮ及びＷＡＮを介して互いに通信を行う。
【００２７】
画像形成装置２００は、画像入力装置であるスキャナ２０７０と、画像出力装置であるプリンタ２０９５と、コントローラユニット２０００と、ユーザインタフェースである操作部２０６２とを備える。
【００２８】
スキャナ２０７０と、プリンタ２０９５と、操作部２０６２は、各々、コントローラユニット２０００に接続される。
【００２９】
コントローラユニット２０００は、ＬＡＮ２０６３、ＷＡＮ等の通信回線に接続される。また、コントローラユニット２０００は、ＷＡＮを介してＧ３、Ｇ４ファクスによるカラー画像送信を行う。本例では、３台の画像形成装置がＬＡＮ２０６３に接続されているが、画像形成装置の接続台数は、これに限るものではない。
【００３０】
ＰＣ２４０は、ＦＴＰ、ＳＭＢプロトコルを使用したファイルの送受信、電子メールの送受信を行う。
【００３１】
画像形成装置２２０、２３０は、画像形成装置２００と同様に、スキャナ２２７０、２３７０、プリンタ２２９５、２３９５、操作部２２１２、２３１２を備え、それらは、コントローラユニット２２００、２３００に接続される。
【００３２】
２．画像形成装置の構成例
図５は、画像形成システムにおける画像形成装置２００、２２０、２３０の構成を示すブロック図である。
【００３３】
コントローラユニット２０００は、画像入力装置であるスキャナ２０１５や画像出力装置であるプリンタ２０１７に接続される。また、コントローラユニット２０００は、ＬＡＮ２００８やＷＡＮ２０５１に接続されることで、画像データや装置情報の入出力を行う。
【００３４】
ＣＰＵ２００１は、システム全体を制御する。ＲＡＭ２００２は、ＣＰＵ２００１が使用するシステムワークメモリであり、画像データを一時的に記憶するための画像メモリでもある。ＲＯＭ２００３は、ブートＲＯＭであり、システムのブートプログラムを格納する。ＨＤＤ２００４は、ハードディスクドライブであり、システムソフトウェアや画像データを格納する。
【００３５】
操作部Ｉ／Ｆ２００５は、操作部２００６と、操作部２００６に表示する画像データを操作部２００６に対して出力する。また、操作部Ｉ／Ｆ２００５は、ユーザが操作部２００６から入力した情報をＣＰＵ２００１に出力する。
【００３６】
ネットワーク部２００７は、ＬＡＮ２００８に接続され、他の装置との間でデータの入出力を行う。
【００３７】
モデム２０５０は、ＷＡＮ２０５１に接続され、他の装置との間で画像データの入出力を行う。
【００３８】
２値画像回転部２０５２、２値画像圧縮・伸張部２０５３は、モデム２０５０が２値画像データを送信する前に、画像の方向を変換し、又は、所定の解像度又は相手装置の処理能力に合わせた解像度に変換する。２値画像圧縮・伸張部２０５３は、ＪＢＩＧ、ＭＭＲ、ＭＲ、ＭＨをサポートする。
【００３９】
ＤＭＡＣ２００９は、ＤＭＡコントローラであり、ＣＰＵ２００１を介さずに、ＲＡＭ２００２に格納されている画像データをイメージバスインタフェース２０１１に転送する。また、ＤＭＡＣ２００９は、画像データバス２０１０を介して送られた画像データを、ＣＰＵ２００１を介さずに、ＲＡＭ２００２に書き込む。
【００４０】
イメージバスインタフェース２０１１は、画像データバス２０１０を介して画像データの高速入出力を制御する。圧縮部２０１２は、画像データバス２０１０に画像データを送出する前に、画像データを３２画素×３２画素の単位でＪＰＥＧ圧縮する。
【００４１】
伸張部２０１３は、画像データバス２０１０を介して送られた画像データを伸張する。ラスターイメージプロセッサ（ＲＩＰ）２０１８は、ネットワーク部２００７とシステムバス２００８を介して、ＰＣ２４０からＰＤＬコードを受け取る。
【００４２】
ＣＰＵ２００１は、システムバス２００８を介して、ＰＤＬコードをＲＡＭ２００２に格納する。ＣＰＵ２００１は、ＰＤＬコードを中間コードに変換し、再度、システムバス２００８を介して、ラスターイメージプロセッサ２０１８に出力し、ビットマップイメージ（多値）に展開する。  
スキャナ画像処理部２０１４は、スキャナ２０１５が読み込んだカラー画像、白黒画像に対して適切な各種画像処理（例えば、補正、加工、編集）を行い出力する。
【００４３】
プリンタ画像処理部２０１６は、適切な各種画像処理（例えば、補正、加工、編集）を行う印刷時は、伸張部２０１３が２値多値変換を行うので、プリンタ２０１７に対して２値画像データ、および多値画像データの出力を行う。
【００４４】
画像変換部２０３０は、ＲＡＭ２００２に格納された画像データを画像変換し、再度、ＲＡＭ２０３０に格納するときに使われる各種画像変換機能を有する。
【００４５】
回転部２０１９は、３２×３２画素単位の画像を指定された角度で回転し、２値、および多値の入出力に対応する。
【００４６】
変倍部２０２０は、画像の解像度を変換（例えば、６００ｄｐｉから２００ｄｐｉへの変換）する機能、又は、変倍する機能（例えば、２５％から４００％への変換）を有する。変倍部２０２０は、変倍する前に、３２×３２画素の画像を３２ライン単位の画像に並び替える。
【００４７】
色空間変換部２０２１は、多値入力された画像をマトリクス演算し、さらには、ＬＵＴにより、例えば、ＲＡＭ２００２に格納されたＹＵＶ画像をＬａｂ画像に変換し、ＲＡＭ２００２に格納する。また、色空間変換部２０２１は、３×８のマトリクス演算および、１次元ＬＵＴをもち、公知の下地とばしや裏写り防止を行う。さらに、色空間変換部２０２１は、変換した画像を多値で出力する。  
２値多値変換部２０２２は、１ｂｉｔで表現される２値画像を８ｂｉｔ（２５６階調）で表現される多値画像に変換する。逆に、多値２値変換部２０２６は、例えばＲＡＭ２００２に格納された８ｂｉｔ（２５６階調）の画像データを誤差拡散処理等の手法により１ｂｉｔ（２階調）に変換し、ＲＡＭ２００２に格納する。
【００４８】
合成部２０２３は、ＲＡＭ２００２上の２枚の多値画像画像（又は２値画像）を合成して１枚の多値画像（又は２値画像）にする機能を有する。例えば、合成部２０２３はＲＡＭ２００２上にある会社ロゴの画像と原稿画像を合成することで、原稿画像に簡単に会社ロゴを付加することができる。合成の手法は、画素毎に平均すること、輝度レベルで明るい方の画素の値を合成後の画素の値とすること、輝度レベルで暗い方の画素の値を合成後の画素の値とすること、ビット毎の論理和演算、論理積演算、排他的論理和演算をすること等公知の手法を用いる。
【００４９】
間引き部２０２４は、多値画像の画素を間引くことで解像度変換を行うユニットであり１／２、１／４、１／８の多値画像を出力する。間引き部２０２４を変倍部２０２０と併用することで、より広範囲な拡大、縮小を行うことができる。
【００５０】
移動部２０２５は、入力された２値画像、多値画像に余白部分をつけたり、余白部分を削除したりして出力する。
【００５１】
回転部２０１９、変倍部２０２０、色空間変換部２０２１、２値多値変換部２０２２、合成部２０２３、間引き部２０２４、移動部２０２５、多値２値変換部２０２６はそれぞれ協働して動作することが可能である。例えば、ＲＡＭ２００２上の多値画像を画像回転、解像度変換する場合は、両処理を、ＲＡＭ２００２を介さずに協働して行うことができる。
【００５２】
図６は、パケット構造の画像と画像全体の関係を示す図である。
【００５３】
本実施形態で使用される画像の形式は、特開２００１−１０３４７３号公報に開示されている画像パケット構造である。
【００５４】
圧縮部２０１２は、ラスター形式の画像を、図６に示す３２×３２画素単位のパケットとして並び替え、パケット単位でＪＰＥＧ圧縮を行う。圧縮部２０１２は、同時にパケットにヘッダ（パケットの位置を示すＩＤ、色空間、ＱテーブルＩＤ、データ長等の情報）を付加する。圧縮部２０１２は、文字、写真を示す２値のデータ（像域フラグ）も同様に圧縮して、パケットの後ろに付加する。
【００５５】
図７は、パケットの構造を示す。
【００５６】
伸張部２０１３は、パケットデータの中のヘッダ情報をもとにＪＰＥＧ圧縮画像を展開し、ラスター画像に並び替える。このように画像データをパケット化すれば、画像回転のときにはパケット内部の画像のみを回転しパケットＩＤの位置を変更することで部分的な伸張圧縮で画像を回転させることができ、非常に効率がよい。画像データバス２０１０上の画像データは、すべてパケット化されている。
【００５７】
ファクス送信や２値画像回転２０５２、２値画像圧縮、伸張２０５３等でラスター画像が必要な場合は、ソフトウェアがパケット画像からラスター画像への変換を行う。
【００５８】
図８は、スキャナ画像処理部２０１４の構成を示すブロック図である。
【００５９】
マスキング処理部２５１０は、スキャナ２０１５から入力されたＲＧＢの各８ｂｉｔの輝度信号をＣＣＤのフィルタ色に依存しない標準的なＲＧＢ色信号に変換する。
【００６０】
フィルタ処理部２５０２は、例えば、９×９のマトリクスを使用し、画像をぼかし、又は、メリハリをつける処理を行う。
【００６１】
ヒストグラム処理部２５０３は、入力画像中の画像信号データのサンプリングをする。サンプリングデータは、入力画像の下地レベル判定に使用される。ヒストグラム処理部２５０３は、主走査方向、副走査方向にそれぞれ指定した開始点から終了点で囲まれた矩形領域内のＲＧＢデータを、主走査方向、副走査方向に一定のピッチでサンプリングし、ヒストグラムを作成する。このヒストグラムは、下地とばしや裏写り防止が指定されたときに読み出される。このヒストグラムから原稿の下地が推測され、下地とばしレベルとして、画像とともにＲＡＭ２００２やＨＤＤ２００４に保存され、印刷時や送信時の画像処理に使用される。
【００６２】
ガンマ処理部２５０４は、画像全体の濃度を濃く又は薄くする。ガンマ処理部２５０４は、例えば入力画像の色空間を任意の色空間に変換し、又は、入力系の色味に関する補正処理を行う。
【００６３】
色空間変換処理部２５０５は、原稿がカラーか白黒かを判断するために変倍前の画像信号を公知のＬａｂに変換する。ａ，ｂは色信号成分を表しており、比較器２５０５は、ａ，ｂが所定のレベル以上であれば有彩色、そうでなければ無彩色として１ｂｉｔの判定信号を出力する。
【００６４】
カウンタ２５０７は、比較器２５０６の出力を計測する。文字／写真判定処理部２５０８は、画像から文字エッジを抽出し、画像を文字と写真に分離し、文字／写真判定信号を出力する。この信号は、画像データとともにＲＡＭ２００２やＨＤＤ２００４に格納され、印刷時に使用される。
【００６５】
特定原稿判定器２５０９は、入力画像信号と、自らが有するパターンとを比較し、両者がどの程度一致するかを調べ、一致又は不一致を示す特定原稿判定信号を出力する。紙幣や有価証券等の偽造を防止するために、特定原稿判定信号に応じて画像は加工される。
【００６６】
図９は、プリンタ画像処理部２０１６の構成を示すブロック図である。
【００６７】
下地とばし部２６０１は、画像データの地色を飛ばし、不要な下地のカブリ除去を行う。例えば、下地とばし部２６０１は、３×８のマトリクス演算や、１次元ＬＵＴにより下地飛ばしを行う。
【００６８】
モノクロ生成部２６０２は、カラー画像データをモノクロデータに変換し、単色として印刷する際に、ＲＧＢデータ等のカラー画像データをＧｒａｙ単色に変換する。例えば、モノクロ生成部２６０２は、ＲＧＢに任意の定数を掛け合わせＧｒａｙ信号とする１×３のマトリクス演算をする。
【００６９】
出力色補正部２６０３は、画像データを出力するプリンタの特性に合わせて色補正を行う。例えば、出力色補正部２６０３は、４×８のマトリクス演算やダイレクトマッピングによる処理を行う。
【００７０】
フィルタ処理部２６０４は、画像データの空間周波数を任意に補正する。例えば、フィルタ処理部２６０４は、９×９のマトリクス演算を行う。ガンマ補正部２６０５は、出力するプリンタの特性に合わせてガンマ補正を行う。
【００７１】
ガンマ補正部２６０５は、通常、１次元のＬＵＴを備える。
【００７２】
中間調補正部２６０６は、出力するプリンタの階調数に合わせて任意の中間調処理を行い、２値化や３２値化等、任意のスクリーン処理や誤差拡散処理を行う。
【００７３】
各処理は、図８に示す文字／写真判定信号によって切り替えることも可能である。
【００７４】
ドラム間遅延メモリ２６０７は、ＣＭＹＫの各色のドラムを持つカラープリンタにおいて、ＣＭＹＫの印字タイミングをドラム間分ずらすことでＣＭＹＫ画像を重ね合わせるためのメモリである。ドラム間遅延メモリ２６０７は、ＣＭＹＫ各色４ドラムを持つカラープリンタにおいて画像の位置を合わせるために印字タイミングを遅延させることができる。
【００７５】
３．デジタル複合機の構成例
図１０は、本発明を適用するデジタル複合機の外観を示す図である。
【００７６】
画像入力機能を有するスキャナ２０１５は、原稿となる紙上の画像を照明し、ＣＣＤラインセンサ（図示せず）を走査することで、画像をラスターイメージデータとして電気信号に変換する。原稿用紙は、原稿フィーダ２７０１のトレイ２７０２にセットされる。ユーザが操作部２００６から読み取り起動指示すると、ＣＰＵ２００１は、スキャナ２０１５に対し、フィーダ２０７１のトレイ２７０２から原稿用紙を１枚ずつフィードし原稿画像の読み取り動作を開始するよう指示する。
【００７７】
画像出力機能を有するプリンタ２０１７は、ラスターイメージデータを印刷用画像データに変換する。変換方式としては、感光体ドラムや感光体ベルトを用いた電子写真方式、微少ノズルアレイからインクを吐出して用紙上に直接画像を印字するインクジェット方式等があるが、どの方式でも構わない。印刷動作の起動は、ＣＰＵ２００１からの指示によって開始する。プリンタ２０１７は、異なる用紙サイズ又は異なる用紙向きを選択できるように複数の給紙段を持ち、それに対応した用紙カセット２７０３、２７０４、２７０５を備える。また、プリンタ２０１７は、印字し終わった用紙を受ける排紙トレイ２７０６を備える。
【００７８】
図１１は、操作部２００６の外観を示す図である。
【００７９】
ＬＣＤ表示部２８０１は、ＬＣＤ上にタッチパネルシート２８０２が貼られており、システムの操作画面およびボタンを表示し、表示してあるボタンが押されるとその位置情報をＣＰＵ２００１に伝える。
【００８０】
「スタート」ボタン２８０３は、原稿画像の読み取り動作を開始するとき等に用いる。「スタート」ボタン２８０３の中央部には、緑と赤の２色ＬＥＤ２８０４がある。２色ＬＥＤ２８０４は、「スタート」ボタン２８０３が使える状態にあるかどうかを色で示す。「ストップ」ボタン２８０５は稼働中の動作を止める働きをする。「ＩＤ」ボタン２８０６は、ユーザのユーザＩＤを入力する時に用いる。「リセット」ボタン２８０７は操作部からの設定を初期化する時に用いる。「ユーザモード」ボタン２８０８は機器の設定を行うときに用いる。
【００８１】
図１２は、ＬＣＤ表示部２８０１に表示される初期画面であり、各画像形成機能設定後に表示される標準画面でもある。
【００８２】
３１０１は、コピー設定を行う画面に切り替えるためのボタンである。３１０２は、スキャンした画像をファクスや電子メールで送信する設定を行うためのボタンである。３１０３は、内蔵ＨＤＤにスキャン画像又はＰＤＬ画像を格納し、又は、格納されたスキャン画像又はＰＤＬ画像を印字、送信又は編集するためのボタンである。３１０４は、３１０５によって設定された画像読み込み時の設定を表示するためのウィンドウである。３１０５は、画像読み込み時の解像度、濃度等を設定するためのボタンである。３１０６は、タイマー送信時のタイマー設定、ＨＤＤ又はプリンタに印字する場合の設定等を行うためのボタンである。３１０７は、３１０８によって指定された送信宛先の表示を行うためのウィンドウである。３１０９は、３１０７に表示された１宛先の詳細な情報の表示を行うためのボタンである。３１１０は、３１０７に表示された１宛先の消去を行うためのボタンである。
【００８３】
図１３は、ボタン３１０５を押下したときに表示されるポップアップウィンドウである。
【００８４】
３２０１は、読み取り原稿サイズをポップアップウィンドウに表示された項目の中から選択入力するためのボタンであり、設定された読み取りサイズは３２０２に表示される。３２０３は、原稿の読み取りモードを選択するためのボタンであり、押下することにより、カラーモード／ブラックモード／自動（ＡＣＳ）モードの３種類の中から所望の読み取りモードを選択できる。カラーモードに関しては、コピーを指示するためのボタン３１０１を押下することによって表示されるウィンドウでも同様に選択できる。図８に示すカウンタ２５０７の計測結果が所定値よりも小さければ白黒原稿、所定値よりも大きければカラー原稿と判断する。カラーモードの場合にはカラー画像を、ブラックモードの場合には白黒画像を、自動（ＡＣＳ）モードの場合にはカラー画像と原稿がカラーか白黒かを判別した結果が蓄積される。３２０４は、読み取りの解像度を指定するためのポップアップウィンドウにおける選択入力ボタンである。３２０５は、原稿の読み取り濃度を調整するためのスライダーであり、９段階の調整が行える。３２０６は、新聞のように下地がかぶった画像を読み込む場合に濃度を自動的に決定するためのボタンである。３２０６については、コピーを指示するためのボタン３１０１を押下することによって表示されるウィンドウでも同様の設定が可能である。
【００８５】
図１４は、コピーを指示するボタン３１０１を押下すると表示される画面例を示す図である。
【００８６】
３３０１には、コピーができる状態であるか否かと、設定したコピー部数が表示される。３３０２は、３２０６と同等の機能を有するボタンであり、下地除去を自動的にするかしないかを選択するためのボタンである。３３０３は、３２０５と同等の機能を有するスライダーであり、９段階の濃度調整が可能なスライダーである。３３０４は、原稿のタイプを選択するボタンであり、文字・写真・地図、文字、印画紙写真、印刷写真を選択できる。３３０５は、「応用モード」ボタンである。「応用モード」ボタン３３０５を押下することによって、縮小レイアウト（複数枚の原稿を１枚の用紙に縮小印字する機能）や、カラーバランス（ＣＭＹＫの各色微調整）、地紋画像等を設定するための画面が表示される。当該画面の詳細については、後述する。３３０６は、各種フィニッシングに関する設定を行うボタンであり、シフトソート、ステープルソート、グループソートを設定できる。３３０７は、両面読み込み、および、両面印刷にかかわる設定を行うためのボタンである。
【００８７】
図１５は、「ボックス」ボタン３１０３を押下したときの画面例を示す図である。
【００８８】
３４０１は、ＨＤＤを論理的に区分した各フォルダを示す。フォルダにはフォルダ番号があらかじめ割り振られている。３４０１は、０番のフォルダである。フォルダ番号の横にはフォルダで使用するディスク容量の割合が表示されている。また、フォルダには任意の名前をつけることができ、その名前も３４０１に表示される。３４０２にはＨＤＤ全体の使用量が表示される。
【００８９】
図１６は、３４０１のボタンを押下したときに表示される画面例を示す図である。
【００９０】
３５０１および３５０２は、図１５に示す０番のフォルダに格納されている文書を示す。文書は複数のページで構成されている。３５０１には、文書がスキャンされたものであることを表すアイコン、ＨＤＤ使用量、ユーザが任意に設定した文書名が表示される。３５０２には、文書がＰＤＬ文書であることを表すアイコン、ＨＤＤ使用量、ユーザが任意に設定した文書名が表示される。アイコンを押下すると、その文書が選択されたことが反転表示によって示される。３５０３は、選択された文書を送信するためのボタンである。３５０４は、スキャナから原稿を読み込み、文書を生成するためのボタンである。３５０５は、フォルダ内のすべての文書を選択するためのボタンである。３５０６は、選択された文書を削除するためのボタンである。３５０７は、選択された文書を印刷するためのボタンである。３５０８は、選択された文書を編集するためのボタンである。ボタン３５０８は、例えば、２つの文書を選択して、結合し、１つの文書にして保存し、又は、特定のページを削除することを指定する機能を有する。３５０９は最後に選択された文書の詳細情報を表示するためのボタンである。詳細情報としては、文書名、解像度、原稿サイズ、カラー等の情報がある。
【００９１】
４．ソフトウェアの構成例
図１７は、デジタル複合機を全体制御するソフトウェアの構成を示す図である。
【００９２】
ユーザインタフェース４０１０は、操作部２００６を制御する。コピーアプリケーション４０２０、送信アプリケーション４０２１、ＢＯＸアプリケーション４０２２は、ユーザインタフェース４０１０からの指示を受け、コピー動作、送信動作、ボックス画面からのスキャン、印刷を実行する。
【００９３】
ＰＤＬアプリケーション４０２３は、ネットワークアプリケーション４１２０からのＰＤＬ印刷データをうけＰＤＬ印刷ジョブを投入する。
【００９４】
共通インターフェイス４０３０は、機器制御部分の機器依存部分を吸収する。
【００９５】
ジョブマネージャ４０４０は、共通インターフェイス４０３０から受け取ったジョブ情報を整理し、下位層のドキュメント処理部に伝達する。ジョブ情報は、ローカルコピーの場合には、スキャンマネージャ４０５０とプリントマネージャ４０９０に伝達される。また、ジョブ情報は、リモートコピーの送信ジョブの場合には、スキャンマネージャ４０５０とファイルストアマネージャ４１００に伝達される。また、ジョブ情報は、リモートコピーの受信ジョブの場合には、ファイルリードマネージャ４０６０とプリントマネージャ４０９０に伝達される。さらにジョブ情報は、ＬＩＰＳやＰｏｓｔＳｃｒｉｐｔ等のＰＤＬ印刷の場合には、ＰＤＬマネージャ４０７０とプリントマネージャ４０９０に伝達される。
【００９６】
シンクマネージャ４０８０は、各ドキュメントマネージャ間の同期とり、各種画像処理を行うイメージマネージャ４１１０への画像処理の要求を行う。
【００９７】
イメージマネージャ４１１０は、スキャン、印刷時の画像処理や画像ファイルの格納を行う。
【００９８】
図２５は、ローカルコピーの処理のフローチャートを示す図である。
【００９９】
ユーザの指示によりユーザインタフェース４０１０は、コピー指示とともにコピー設定情報をコピーアプリケーション４０２０に出力する（Ｓ４２０２）。
【０１００】
コピーアプリケーション４０２０は、ユーザインタフェース４０１０からの情報を、共通インターフェイス４０３０を介して機器制御を行うジョブマネージャ４０４０に出力する。
【０１０１】
ジョブマネージャ４０４０は、スキャンマネージャ４０５０とプリントマネージャ４０９０にジョブの情報を出力する。
【０１０２】
スキャンマネージャ４０５０は、図示しないデバイスＩ／Ｆ（コントローラ２０００とスキャナ２０１５、コントローラ２０００とプリンタ２０１７を結ぶシリアルＩ／Ｆ）を介してスキャナ２０１５にスキャン要求を行う。また、同時に、スキャンマネージャ４０５０は、シンクマネージャ４０８０を介してイメージマネージャ４１１０にスキャン用の画像処理要求を出力する。
【０１０３】
イメージマネージャ４１１０は、スキャンマネージャ４０５０の指示に従って、スキャナ画像処理部２０１４の設定を行う（Ｓ４２０３）。設定が完了したら、イメージマネージャ４１１０は、シンクマネージャ４０８０を介してスキャン準備完了を伝える。その後、スキャンマネージャ４０５０は、スキャナ２０１５に対してスキャンを指示する（Ｓ４２０４）。スキャン完了通知は、図示しないハードウェアからの割り込み信号によってイメージマネージャ４１１０に送られる。
【０１０４】
イメージマネージャ４１１０からのスキャン完了通知を受けてシンクマネージャ４０８０は、スキャン完了通知をスキャンマネージャ４０５０、プリントマネージャ４０９０に送る。同時に、シンクマネージャ４０８０は、ＲＡＭ２００２に格納された圧縮画像をＨＤＤ２００４でファイル化することをイメージマネージャ４１１０に指示する。
【０１０５】
イメージマネージャ４１１０は、その指示に従ってＲＡＭ２００２上の画像（文字／写真判定信号を含む）をＨＤＤ２００４に格納する。このとき、イメージマネージャ４１１０は、コピーの設定内容に応じて、必要ならば、画像変換部２０３０を用いて画像変換処理（Ｓ４２０５）を行った後にＲＡＭ２００２上の画像をＨＤＤ２００４に格納する（Ｓ４２０６）。イメージマネージャ４１１０は、画像の付随情報として図示しないＳＲＡＭにカラー判定／白黒判定結果、下地とばしを行うための下地とばしレベル、画像入力元としてのスキャン画像、色空間ＲＧＢをＨＤＤ２００４に格納する。また、イメージマネージャ４１１０は、ＨＤＤ２００４への格納が終了し、スキャナ２０１５からのスキャン完了通知を受けたら、シンクマネージャ４０８０を介してスキャンマネージャ４０５０にファイル化終了通知を送る。
【０１０６】
スキャンマネージャ４０５０は、ジョブマネージャ４０４０に対して終了通知を返す。ジョブマネージャ４０４０は、共通インターフェイス４０３０を介してコピーアプリケーション４０２０へ終了通知を返す。
【０１０７】
プリントマネージャ４０９０は、ＲＡＭ２００２に画像が格納された時点でデバイスＩ／Ｆを介して、プリンタ２０９５に印刷要求を行う。プリントマネージャ４０９０は、同時に、シンクマネージャ４０８０に印刷画像処理要求を行う。これにより、プリント処理が開始される。
【０１０８】
図３１を用いて、上記のプリント処理に関して説明する。
【０１０９】
シンクマネージャ４０８０は、プリントマネージャ４０９０から印刷画像処理要求を受けると画像処理設定をイメージマネージャ４１１０に要求する。
【０１１０】
イメージマネージャ４１１０は、前述の画像の付随情報に従ってプリンタ画像処理部２０１６の設定を行う（Ｓ４８０２）。次いで、イメージマネージャ４１１０は、ＨＤＤ２００４から画像を読み出し（Ｓ４８０３）。当該画像に対し、画像変換のための前処理を行う（Ｓ４８０４）。次いで、イメージマネージャ４１１０は、画像変換を実行し（Ｓ４８０５）、シンクマネージャ４０８０を介してプリントマネージャ４０９０に印刷準備完了を通知する。
【０１１１】
本発明における地紋画像の優先順位付けとその生成および、ＨＤＤから読み出された画像への地紋画像の付加処理は、Ｓ４８０４およびＳ４８０５で行なわれる。
【０１１２】
プリントマネージャ４０９０は、プリンタ２０１７に対して印刷指示を出力する（Ｓ４８０６）。印刷完了通知は、図示しないハードウェアからの割り込み信号によってイメージマネージャ４１１０に送られる。
【０１１３】
イメージマネージャ４１１０からの印刷完了通知を受けてシンクマネージャ４０８０は、印刷完了通知をプリントマネージャ４０９０に送る。
【０１１４】
プリントマネージャ４０９０は、プリンタからの排紙完了通知を受け、ジョブマネージャ４０４０に対して終了通知を返す。次いで、ジョブマネージャ４０４０は、共通インターフェイス４０３０を介してコピーアプリケーション４０２０へ終了通知を返す。
【０１１５】
コピーアプリケーション４０２０は、スキャン、印刷が終了したらジョブ終了通知をユーザインタフェースに送る。
【０１１６】
図２６は、リモートコピーの処理のフローチャートを示す図である。
【０１１７】
スキャンジョブ、送信ジョブの場合、ファイルストアマネージャ４１００は、プリントマネージャ４０９０の代わりに、ジョブマネージャ４０４０からの要求を受けとる。ファイルストアマネージャ４１００は、スキャン画像をＨＤＤに格納し終わった時点（Ｓ４３０１からＳ４３０６）で、シンクマネージャ４０８０から格納完了通知を受けとる。
【０１１８】
リモートコピーの場合には、ファイルストアマネージャ４１００は、当該格納完了通知を、共通インターフェイス４０３０を介してコピーアプリケーション４０２０に通知する。
【０１１９】
送信ジョブの場合には、ファイルストアマネージャ４１００は、当該格納完了通知を、共通インターフェイス４０３０を介して送信アプリケーション４０２１に通知する。
【０１２０】
コピーアプリケーション４０２０又は送信アプリケーション４０２１は、当該格納完了通知を受けた後、ネットワークアプリケーション４１２０に対してＨＤＤ２００４に格納されたファイルの送信を要求する。要求を受けたネットワークアプリケーション４１２０は、ファイルをＨＤＤ２００４から読み出し（Ｓ４３０７）、送信する（Ｓ４３０８）。
【０１２１】
ネットワークアプリケーション４１２０は、ジョブ開始時に、コピーアプリケーション４０２０からコピーに関する設定情報を受けとり、当該設定情報をリモート側の機器に通知する（Ｓ４３０９）。ネットワークアプリケーション４１２０は、リモートコピーの場合、機器固有の通信プロトコルを使用して送信を行う。ネットワークアプリケーション４１２０は、ＦＴＰ、ＳＭＢ等標準的なファイル転送プロトコルを使用してジョブを送信する。
【０１２２】
図２７は、ファクス送信する処理のフローチャートを示す図である。
【０１２３】
ファクス送信する場合、ファイル格納後、送信アプリケーション４０２１は、共通インターフェイス４０３０及びジョブマネージャ４０４０を介してファクスマネージャ４０４１に送信を指示する。
【０１２４】
ファクスマネージャ４０４１は、モデム２０５０を介して、相手機器とネゴシエーションを行ない（Ｓ４４０２）、ＨＤＤ２００４から画像データを読み出しＲＡＭ２００２に格納する（Ｓ４４０３）。次いで、ファクスマネージャ４０４１は、その画像データに対する必要な画像処理（カラー画像から白黒画像への変換、多値２値変換、回転、変倍）をイメージマネージャ４１１０に要求する（Ｓ４４０４）。ファクスマネージャ４０４１は、変換後の画像を、モデム２０５０を介して送信する（Ｓ４４０６）。
【０１２５】
また、送信先にプリンタがある場合、送信アプリケーション４０２１は、共通インターフェイス４０３０を介して印刷ジョブをプリンタに送り、印刷指示を行う。その動作は、以下で説明するリモートコピーの印刷ジョブの場合と同様である。また、送信宛先が機器内のボックス宛先になっているときは、ファイルストアマネージャ４１００は、印刷ジョブを機器内のファイルシステムに格納する。
【０１２６】
図２８は、ファクス受信する処理のフローチャートを示す図である。
【０１２７】
ファクス受信時、ファクスマネージャ４０４１は、モデム２０５０を介して画像データを受信し（Ｓ４５０２）、画像ファイルとしてＨＤＤ２００４に格納する（Ｓ４５０３）。ファクスマネージャ４０４１は、ＨＤＤ２００４に画像ファイルを格納後にボックスアプリケーション４０２２にその旨を通知する。
【０１２８】
次いで、ボックスアプリケーション４０２２は、受信印刷の指示を、共通インターフェイス４０３０を介して、ジョブマネージャ４０４０に送る。次いで、図３１に示すプリント処理を実行する（Ｓ４５０４）。
【０１２９】
図２９は、リモートコピーの印刷ジョブ、ボックスの印刷ジョブの処理のフローチャートを示す図である。
【０１３０】
リモートコピーの印刷ジョブの場合、ネットワークアプリケーション４１２０は、送信側から送られた画像データをＨＤＤ２００４に保存する（Ｓ４６０２、Ｓ４６０３）とともに、コピーアプリケーション４０２０に対してジョブを発行する。
【０１３１】
ボックスの印刷ジョブの場合、前述した送信ジョブによって機器内のＨＤＤ２００４に画像が保存され、ユーザインタフェース４０１０の指示によりボックスアプリケーション４０２２にジョブが発行される。
【０１３２】
ジョブの発行指示を受けたボックスアプリケーション４０２２は、共通インターフェイス４０３０を介してジョブマネージャ４０４０に印刷ジョブを投入する（Ｓ４６０４）。ローカルコピーとは異なり、ファイルリードマネージャ４０６０は、スキャンマネージャ４０５０に代わってジョブマネージャ４０４０からの要求を受けとる。
【０１３３】
ファイルリードマネージャ４０６０は、シンクマネージャ４０８０を介して、画像データをＨＤＤ２００４からＲＡＭ２００２に転送する要求をイメージマネージャ４１１０に送る。
【０１３４】
イメージマネージャ４１１０は、ＲＡＭ２００２上に画像データを展開する。イメージマネージャ４１１０は、画像データの展開が終了すると、展開終了通知を、シンクマネージャ４０８０を介してファイルリードマネージャ４０６０とプリントマネージャ４０９０に送る。
【０１３５】
プリントマネージャ４０９０は、ＲＡＭ２００２に画像データが格納された時点でデバイスインタフェース（図示せず）を介して、プリンタ２０１７に印刷要求を送る。印刷要求には、ジョブマネージャ４０４０が指示した給紙段を選択すること、又は指定の用紙サイズを有する給紙段を選択することが含まれる。自動給紙の場合は、プリントマネージャ４０９０は、画像サイズに基づいて給紙段を決定し、プリンタ２０１７に印刷要求を送る。プリントマネージャ４０９０は、同時に、シンクマネージャ４０８０に印刷画像処理要求を行う。
【０１３６】
シンクマネージャ４０８０は、プリントマネージャ４０９０から要求を受けとると印刷画像処理設定をイメージマネージャ４１１０に要求する。このとき、シンクマネージャ４０８０は、例えば、画像サイズに最適なサイズの用紙がなく、画像の回転が必要であれば、別途、回転指示も要求する。回転指示があった場合、イメージマネージャ４１１０は、回転部２０１９を使って画像を回転する。
【０１３７】
イメージマネージャ４１１０は、プリンタ画像処理部２０１６の設定を行い、シンクマネージャ４０８０を介してプリントマネージャ４０９０に印刷準備完了の通知を送る。
【０１３８】
プリントマネージャ４０９０は、プリンタ２０１７に対して印刷指示を送る。印刷画像転送完了の通知は、図示しないハードウェアからの割り込み信号によってイメージマネージャ４１１０に送られる。
【０１３９】
シンクマネージャ４０８０は、イメージマネージャ４１１０から印刷完了の通知を受け、当該印刷完了の通知をファイルリードマネージャ４０６０とプリントマネージャ４０９０に送る。ファイルリードマネージャ４０６０は、終了通知をジョブマネージャ４０４０に返す。
【０１４０】
プリントマネージャ４０９０は、プリンタ２０１７からの排紙完了通知を受けとり、ジョブマネージャ４０４０に対して終了通知を返す。
【０１４１】
ジョブマネージャ４０４０は、共通インターフェイス４０３０を介してコピーアプリケーション４０２０へ終了通知を返す。
【０１４２】
コピーアプリケーション４０２０は、ジョブを発行し、印刷が終了したらジョブ終了通知をユーザインタフェース４０１０に送る。
【０１４３】
図３０は、ＰＤＬデータ展開格納ジョブの処理のフローチャートを示す図である。
【０１４４】
ＰＤＬデータ展開格納ジョブの場合、ＰＤＬ印刷を要求されたＰＣ２４０は、ネットワークアプリケーション４１２０を介してＰＤＬアプリケーション４０２３にＰＤＬ印刷を要求する。
【０１４５】
ＰＤＬアプリケーション４０２３は、ＰＤＬデータ展開格納ジョブを、共通インターフェイス４０３０を介してジョブマネージャ４０４０に送る。
【０１４６】
ジョブマネージャ４０４０は、ＰＤＬマネージャ４０７０とファイルストアマネージャ４１００にＰＤＬデータ展開格納ジョブを送る。画像のＲＩＰ（ラスタイメージ処理）（Ｓ４７０２）が終了した後の画像入力処理に関しては前述のスキャンジョブと同様である。
【０１４７】
ファイルストアマネージャ４１００は、ＲＡＭ２００２に格納された画像（文字／写真判定信号を含む）データをＨＤＤ２００４に保存する（Ｓ４７０３）。ファイルストアマネージャ４１００は、画像の付随情報として、図示しないＳＲＡＭにカラー／白黒情報、画像入力元としてのＰＤＬ画像、色空間ＣＭＹＫ又はＲＧＢをＨＤＤ２００４に格納する。
【０１４８】
ファイルストアマネージャ４１００は、ＰＤＬ画像をＨＤＤ２００４に格納し終わると、シンクマネージャ４０８０から格納完了通知を受ける。ファイルストアマネージャ４１００は、当該格納完了通知を、共通インターフェイス４０３０を介してＰＤＬアプリケーション４０２３に送る。
【０１４９】
ＰＤＬアプリケーション４０２３は、当該格納完了通知を受けた後、ネットワークアプリケーション４１２０に、ＨＤＤ２００４への格納完了通知を送る。
【０１５０】
ネットワークアプリケーション４４２０は、ＰＤＬ印刷を要求したＰＣ２４０に当該格納完了通知を送る。また、ＰＤＬ印刷ジョブの場合、ＰＤＬマネージャ４０７０とプリントマネージャはＲＡＭ２００２に格納された画像を印字する（Ｓ４７０４）。
【０１５１】
ＰＤＬ展開され格納された画像の印刷は、ユーザインタフェース４０１０で印刷指示された格納文書をボックスアプリケーション４０２２に印刷ジョブとして発行する。
【０１５２】
ボックスアプリケーション４０２２は、共通インターフェイス４０３０を介してジョブマネージャ４０４０に印刷ジョブを送る。ローカルコピーとは異なり、ファイルリードマネージャ４０６０は、スキャンマネージャ４０５０に代わってジョブマネージャ４０４０からの要求を受けとる。
【０１５３】
ファイルリードマネージャ４０６０は、印刷指示された画像をＨＤＤ２００４からＲＡＭ２００２に転送する要求を、シンクマネージャ４０８０を介して、イメージマネージャ４１１０に送る。この後の動作はリモートコピーの印刷ジョブで説明した動作と同様のため省略する。
【０１５４】
５．地紋付き画像の生成処理の一例
図３２は、地紋付き画像の生成処理を説明するための図である。
【０１５５】
本実施形態では、操作部２００６から指定された文字や記号等のフォントをＲＡＭ２００２上にビットマップとして展開する。図３２において、５００１は、フォント（本例では、☆）をビットマップとして展開した例である。
【０１５６】
ＨＤＤ２００４は、地紋画像の前景部パターン５００２と、地紋画像の背景部パターン５００３と、カモフラージュパターン５００４を格納しており、これらのパターンは、ＲＡＭ２００２上に任意の大きさで展開することができる。
【０１５７】
図３２において、５０１０は、地紋画像の前景部作成処理を示す。
【０１５８】
５０１１は、ＨＤＤ２００４に保存されている前景部パターン５００２が、原稿画像５０４０に応じて、所定の数だけ並んでＲＡＭ２００２上に展開されていることを示す。
【０１５９】
５０１２は、上記フォントがＲＡＭ２００２上に展開されていることを示す。５０１２は、原稿画像５０４０のサイズに応じて複数個のフォントが繰り返して作成され（本例では、２個繰り返したものを作成する。）、５０１１の画像サイズと合わせるために白画像が周囲に付加されていることを示す。ＲＡＭ２００２に５０１１と５０１２の画像を格納後、双方の画像を合成した前景画像５０１３は、ＲＡＭ２００２に格納される。このとき５０１２のフォント上にだけ前景部パターン５０１１が描写されるように合成処理が行われる。
【０１６０】
図３２において、５０２０は、地紋画像の背景部作成処理を示す。
【０１６１】
５０２１は、ＨＤＤ２００４に保存されている背景部パターン５００３が、原稿画像５０４０に応じて、所定の数だけ並んでＲＡＭ２００２上に展開されていることを示す。
【０１６２】
５０２２は、上記フォントがＲＡＭ２００２上に展開されていることを示す。５０２２は、原稿画像５０４０のサイズに応じて複数個のフォントが並べて作成され（本例では、２個並べたものを作成する。）、５０２１の画像サイズと合わせるために白画像が周囲に付加されていることを示す。ＲＡＭ２００２に５０２１と５０２２の画像を格納後、双方の画像を合成した背景画像５０２３は、ＲＡＭ２００２に格納される。このとき５０２２のフォント以外の部分だけ背景部パターン５０２１が描写されるように合成処理が行われる。
【０１６３】
５０３０は、カモフラージュ画像であり、カモフラージュパターン５００４が所定の数だけ並んでＲＡＭ２００２上に展開されていることを示す。カモフラージュ画像は、操作部２００６からの指示により生成されない場合もある。
【０１６４】
５０１０の前景部作成処理と５０２０の背景部作成処理の終了後、作成された前景画像５０１３と、作成された背景画像５０２３とを合成して、地紋画像５０５０を作成し、当該地紋画像５０５０をＲＡＭ２００２に格納する。
【０１６５】
カモフラージュ画像５０３０の生成指示が操作部２００６からあった場合には、地紋画像５０５０とカモフラージュ画像５０３０とを合成して、カモフラージュ付き地紋画像５０６０を作成し、当該カモフラージュ付き地紋画像５０６０をＲＡＭ２００２に格納する。このとき、カモフラージュ画像５０３０が白抜きされるように合成を行う。
【０１６６】
地紋画像５０５０（又はカモフラージュ付き地紋画像５０６０）が生成された後、原稿画像５０４０と地紋画像５０５０（又はカモフラージュ付き地紋画像５０６０）とを合成して、地紋付き画像５０７０を作成し、当該地紋付き画像をＲＡＭ２００２に格納する。
【０１６７】
６．地紋付き画像の印刷設定を行うためのユーザインタフェースの一例
図１８〜図２３は、地紋付き画像の印刷設定を行うためのユーザインタフェースの一例を示す図である。
【０１６８】
図１８は、図１４に示す「応用モード」ボタン３３０５を押下したときに表示される画面例を示す図である。前述したとおり、「応用モード」ボタン３３０５を押下すると、縮小レイアウト、カラーバランス等の設定を行うことができる。さらに、「地紋設定」ボタン４１０１を押下することにより地紋画像の設定を行うことができる。
【０１６９】
図１９は、「地紋設定」ボタン４１０１を押下したときに表示される画面例を示す図である。
【０１７０】
図１９によると、地紋画像として印字する情報を、「スタンプ」、「機体番号」、「日付」の中から選択できる。地紋画像として印字する情報は、この他に、部数の番号やユーザのＩＤ番号等であってもよい。本実施形態では、「スタンプ」、「機体番号」、「日付」の各情報の内の１つを地紋画像として印字する例を示すが、複数の情報を一緒に印字できる形であってもよい。
【０１７１】
図２０は、図１９に示す「スタンプ」ボタン４１１１を押下したときに表示される画面例を示す図である。
【０１７２】
この画面では、「極秘」、「コピー禁止」、「無効」、「ＣＯＮＦＩＤＥＮＴＩＡＬ」、「社外秘」、「ＣＯＰＹ」の６種のスタンプの中からから地紋画像を選択できる。例えば、「極秘」ボタン４１２１を押下し、「次へ」ボタン４１２２を押下すると、さらなる詳細情報を設定するための画面に切り替わる。図２２は、その詳細情報を設定するための画面例を示す図である。
【０１７３】
図２１は、図１９に示す「日付」ボタン４１１２を押下したときに表示される画面例を示す図である。この画面では、日付の書式として、「ＹＹ／ＭＭ／ＤＤ」、「ＭＭ／ＤＤ／ＹＹ」、「ＤＤ／ＭＭ／ＹＹ」、「ＹＹ年ＭＭ月ＤＤ日」の４種の書式の中から地紋画像として印字する日付の書式を選択できる。例えば、「ＹＹ／ＭＭ／ＤＤ」ボタン４１３１を押下し、「次へ」ボタン４１３２を押下すると、さらなる詳細情報を設定するための画面に切り替わる。図２２は、その詳細情報を設定するための画面例を示す図である。
【０１７４】
図１９に示す「機体番号」ボタン４１１３を押下すると、さらなる詳細情報を設定するための画面に切り替わる。図２２は、その詳細情報を設定するための該画面を示す図である。この場合、地紋情報として、プリンタ固有の機体のシリアル番号が印字される。
【０１７５】
図２２は、図１９に示す地紋設定情報（「スタンプ」、「日付」、「機体番号」）に共通する設定情報を設定するための画面例を示す図である。この画面では、地紋画像として印字するフォントのサイズおよび色を選択する。フォントのサイズは、大、中、小の中から選択でき、色は、ブラック、マゼンタ、シアンの中から選択できる。フォントのサイズ、色を選択後、「次へ」ボタン４１４３を押下すると、さらなる詳細情報を設定するための画面に切り替わる。図２３は、その詳細情報を設定するための画面例を示す図である。
【０１７６】
図２３は、図２２と同様に、図１９に示す地紋設定情報に共通する設定情報を設定するための画面例を示す図である。この画面では、カモフラージュパターンと、浮き出し／白抜きの設定を行うことができる。カモフラージュパターンとは、地紋画像が付加された印刷物において、地紋画像が付加されていることを人間の視覚上認識し難くさせるためのパターンである。図２３に示されるように、カモフラージュパターンとして、扇、桜等複数のパターンの中から選択可能である。また、カモフラージュパターンを使用しないという選択肢も提供されている。図３に示されている地紋画像において選択されているカモフラージュパターンは、扇である。
【０１７７】
浮き出し／白抜きの設定とは、複写後の画像において、テキスト情報等の地紋情報の部分とそれ以外の部分のいずれを顕像化させるかを指定する設定である。
【０１７８】
図２４は、浮き出し／白抜きを説明するための図である。
【０１７９】
浮き出しの設定の場合は、複写物上において文字等の地紋画像（本例では、「禁」の文字）が顕像化するような地紋画像が生成される。浮き出しが設定された場合、文字等が浮き出た形態で、複写物上で認識可能となる。一方、白抜きが設定された場合、複写物上において地紋情報以外の部分が顕像化するような地紋画像が生成される。このとき、文字等は、白抜きされた形態で認識可能となる。
【０１８０】
図２３に示す画面例では、カモフラージュパターン、浮き出し／白抜き選択後、「ＯＫ」ボタン４１５３を押下し、地紋画像に関するすべての設定を終了する。設定終了後、図１１に示す操作部２００６にある「スタート」ボタン２８０３を押下すると、コピージョブが実行され、図３１のＳ４８０５で、図３２に示す地紋画像生成処理が実行され、図２４に示す地紋付き画像が得られる。
【０１８１】
７．地紋画像の画像変換前処理の一例
地紋画像が印刷用紙に収まりきらない場合の処理について述べる。潜像として設定されたフォントのサイズやフォントの数に基づいて地紋画像のサイズが決まるため、複数のフォントを組み合わせたパターンを潜像とする場合に、使用する用紙にそのパターンが全て収まらない場合がある。その場合の処理内容を以下に説明する。
【０１８２】
図３１に示すプリント処理で、Ｓ４８０３でＨＤＤ２００４から読み出した地紋画像のサイズが用紙サイズより大きい場合、用紙サイズを超えた部分の地紋画像は印字されない。複数の潜像が設定されている場合は、それらの潜像の総画像サイズが用紙サイズよりも大きい場合も同様である。このため、ユーザの意図しない地紋付き画像が生成されてしまう。そこで、そのような画像が生成されることを防止するために、Ｓ４８０４において、図３３に示す処理を行なう。
【０１８３】
図３３は、画像変換前処理のフローチャートを示す図である。
【０１８４】
Ｓ６００２において、地紋設定がされているか否かを判断し、地紋設定がされていなければ画像変換前処理を終了する。地紋設定がされている場合には、Ｓ６００３において、用紙サイズが地紋画像より小さいかどうか、すなわち、設定した地紋画像が用紙に収まるかどうかを判断する。判断した結果、用紙サイズが地紋画像より大きい場合には、処理を終了する。
【０１８５】
尚、この場合、用紙サイズいっぱいに地紋画像を繰り返し並べるようにしてからＳ６００８へ進んでもよい。これに対して、用紙サイズが地紋画像よりも小さい場合には、上述した通り、地紋画像の一部を用紙に印字できないため、Ｓ６００４へと進み、図３６に示す画面を操作部２００６上に表示する。
【０１８６】
図３６によると、８００１は、設定された地紋画像サイズが用紙サイズを越えていることをユーザに警告する画面である。８００２は、地紋画像の再設定を行なうための「再設定」ボタンであり、８００３は、そのまま続行することを指示するための「続行」ボタンであり、８００４は、中止を指示するための「中止」ボタンである。Ｓ６００４において、「中止」ボタン８００４が押下されると、画像変換前処理を終了する。「続行」ボタンが押下されれば、地紋画像の設定を変更せずに印刷を行なうこととし、画像変換前処理は終了する。Ｓ６００４において、「再設定」ボタン８００２が押下されると、ステップＳ６００６へと進み、図３７に示す地紋プリント再設定８１０１の画面を操作部２００６上に表示する。
【０１８７】
図３７に示す画面例によると、８１０２は、地紋画像に優先順位を設けるための「優先順位設定」ボタンであり、８１０３は、用紙サイズを変更するための「用紙サイズ変更」ボタン８１０３である。Ｓ６００６において、「用紙サイズ変更」ボタン８１０３が押下されればＳ６００９へと進み、地紋画像サイズ以上のサイズの用紙に変更し画像変換前処理を終了する。この時、原稿画像サイズはそのままにし、印刷する用紙サイズだけを変更してもよいし、又は、変更した用紙サイズに応じて原稿画像もまた拡大してもよい。Ｓ６００６において、「優先順位設定」ボタン８１０２が押下されればＳ６００７へと進み、後述する優先順位設定処理を行なう。優先順位設定処理の終了後、設定された優先順位に従って、図３１のＳ４８０５において、ＨＤＤ２００４から読み出された画像への地紋画像の付加処理を行なう。
【０１８８】
次に、図３４を用いて優先順位設定処理を説明する。
【０１８９】
Ｓ６１０２では、複数の地紋画像が設定されているか否かを判断し、地紋画像が１つだけ設定されていればＳ６１０４へと進み、複数の地紋画像が設定されていればＳ６１０３へと進む。
【０１９０】
図３５（ａ）の画面７００１は、複数の地紋画像が設定されている場合における地紋画像の印刷優先順位を設定するための画面である。画面７００１には、設定されている地紋画像の一覧表７００２と、ユーザが設定した優先順位を示す一覧表７００３が表示される。
【０１９１】
ユーザは、一覧表７００２の中から、用紙からはみ出ることなく確実に印刷したい地紋画像の順番にしたがって優先順位を決定する。例えば図３５（ａ）では、地紋画像として「１．日付」と「２．機体番号」が設定されており（７００２）、その優先順位は「１．機体番号」、「２．日付」の順である（７００３）。優先順位の設定が終了すれば、Ｓ６１０４へと進み、図３５（ｂ）に示す、優先文字列を設定する地紋画像を選択するための画面７１０１を操作部２００６に表示する。画面７１０１には、設定されている地紋画像の一覧表７１０２と、設定を終了するための「設定終了」ボタン７１０３が表示されている。
【０１９２】
ユーザは一覧表７１０２の中から、用紙からはみ出ることなく確実に印刷したい文字列又は記号列の設定を行なう地紋画像を選択する。例えば「１．機体番号」を選択した場合には、図３５（ｃ）に示す、優先文字列又は記号列を設定するための画面７２０１を操作部２００６に表示する。画面７２０１には、選択された地紋画像（本例では機体番号）の文字列の表示７２０２と、その文字列のうち、何文字目からを優先的に印刷したいかを設定するための入力ウィンドウ７２０３が表示される。ユーザが入力ウィンドウ７２０３に操作部２００６から数値を入力すると、操作部２００６は元の画面７１０１を表示する。本例では、機体番号としてもっとも重要な部分である８文字目から１３文字目（７２０２の文字列における「０１２３４５」の部分）を確実に印刷するために、７２０３には「８」を入力する。
【０１９３】
画面７１０１において、ユーザは「設定終了」ボタン７１０３が押下することによって、図３４に示す優先順位設定処理は終了する。
【０１９４】
次に、図３８を用いて、複数の地紋パターンが設定された場合に、各地紋パターンの優先順位に従って地紋つき画像を生成する手順について説明する。
【０１９５】
図３２に示した地紋つき画像の生成手順では、フォント画像５００１を原稿画像５０４０に付加する地紋画像として使用する例を述べた。これに対して、図３８では、複数の地紋パターンを使用する例として、フォント画像（Ａ）９００１、フォント画像（Ｂ）９００２、フォント画像（Ｃ）９００３の合計３つの地紋画像を原稿画像９００５に付加する例を述べる。
【０１９６】
図３８の上段は、３つのフォント画像（Ａ）、（Ｂ）、（Ｃ）を組み合わせてフォント画像（Ｄ）９００４を生成した結果、フォント画像（Ｄ）が原稿画像９００５より大きくなる場合を示す。この場合、フォント画像（Ｄ）９００４を使用すると地紋付き画像９００６が得られる。
【０１９７】
地紋付き画像９００６からわかるように、原稿画像からはみ出た部分（フォント画像（Ｃ）に対応する「○」）の地紋画像は印字されない。仮に、原稿画像からはみ出た部分に、他の地紋パターン（フォント画像（Ａ）に対応する「☆」、フォント画像（Ｂ）に対応する「□」）に設定されている情報よりもユーザにとって有用な情報が設定されていた場合、印刷された地紋つき画像は無駄となる。
【０１９８】
そこで、複数の地紋パターンを使用する場合には、各地紋パターンに優先順位をユーザが設定できるようにし（Ｓ６１０３）、有用な情報が設定されている優先度の高い地紋パターンが原稿画像のサイズ内に必ず収まるようにする。具体的には、図３８におけるフォント画像（Ａ）、（Ｂ）、（Ｃ）の優先順位を（Ｃ）＞（Ａ）＞（Ｂ）の順でユーザが設定していた場合、その優先順位でフォント画像（Ｅ）を生成する。すなわち、図３８の下段に示すように、優先度が一番高いフォント画像（Ｃ）の次にフォント画像（Ａ）、その次にフォント画像（Ｂ）という順番で原稿画像内に各フォント画像を収めていく。この順番でフォント画像（Ｅ）を作成すると、原稿画像サイズからはみ出て印字されない地紋パターンは優先度が低いフォント画像（本例ではフォント画像（Ｂ））となる。言い換えると、ユーザが最も有用と考える情報が設定されたフォント画像（Ｃ）が確実に印字された地紋つき画像９００９を得ることができる。
【０１９９】
次に、図３４、図３９を用いて、地紋パターンのフォントに優先文字列が設定されている場合に、その優先文字列に従って地紋つき画像を生成する手順について説明する。
【０２００】
図３９は、フォント画像９１０１を、原稿画像９００５に付加する地紋画像として使用する場合を示す。
【０２０１】
フォント画像９１０１からフォント画像９１０２を生成した結果、原稿画像９００５より大きくなる場合がある。その場合、フォント画像９１０２を使用して地紋つき画像を得ようとすると９１０３に示すように、原稿画像からはみ出た部分（本例では、「○」）が印字されない。もし、この原稿画像からはみ出た部分が、ユーザにとって他のフォント（「☆」と「□」）よりも有用な情報である場合、印刷された地紋つき画像は役に立たない。そこで、原稿サイズを超える地紋パターンを使用する場合には、ユーザは地紋パターン内のフォントに対して優先順位を設定し（図３４のＳ６１０３）、優先度の高い文字列は必ず原稿画像に収まるようにする。具体的には、図３９におけるフォント画像９１０１の各フォントに対して、「○」が他のフォント（「☆」と「□））より優先順位が高く設定されていた場合、その優先順位の高い文字（本例では、「○」）からフォント画像９１０４を生成する（Ｓ６１０４）。
【０２０２】
フォント画像９１０４を用いてフォント画像９１０５を作成すると、ユーザにとって有用な情報を含むフォントが確実に印字された地紋つき画像９１０６を得ることが出来る。
【０２０３】
なお、上記の実施形態は、優先順位にしたがって各フォント画像等を並べ替える処理を行うことによって、所望のフォント画像が地紋画像として必ず用紙に印刷されるようにするものである。その他の実施形態として、各フォント画像等のサイズ（例えば、文字列のポイント数）を変更するサイズ変更処理を行うことによって、全てのフォント画像等が用紙に収まるように制御してもよい。
【図面の簡単な説明】
【０２０４】
【図１】地紋画像における潜像画像と背景画像の各領域におけるドットの状態を示す図である。
【図２】複写によって、地紋画像が顕像化する様子を示す概念図である。
【図３】カモフラージュ付き地紋画像を示す図である。
【図４】本発明を適用する画像形成システムの全体構成を示すブロック図である。
【図５】本発明を適用する画像形成装置２００、２２０、２３０の構成を示すブロック図である。
【図６】パケット構造の画像と画像全体の関係を示す図である。
【図７】パケット構造を示す図である。
【図８】スキャナ画像処理部２０１４の構成を示すブロック図である。
【図９】プリンタ画像処理部２０１６の構成を示すブロック図である。
【図１０】本発明を適用するデジタル複合機の外観を示す図である。
【図１１】デジタル複合機における操作部２００６の外観を示す図である。
【図１２】操作部３００６におけるＬＣＤ表示部２８０１に表示される初期画面を示す図である。
【図１３】ボタン３１０５を押下すると表示されるポップアップウィンドウを示す図である。
【図１４】コピーを指示するボタン３１０１を押下すると表示される画面例を示す図である。
【図１５】「ボックス」ボタン３１０３を押下すると表示される画面例を示す図である。
【図１６】ボタン３４０１を押下すると表示される画面例を示す図である。
【図１７】デジタル複合機を全体制御するソフトウェアの構成を示す図である。
【図１８】「応用モード」ボタン３３０５を押下すると表示される画面例を示す図である。
【図１９】「地紋設定」ボタン４１０１を押下すると表示される画面例を示す図である。
【図２０】「スタンプ」ボタン４１１１を押下すると表示される画面例を示す図である。
【図２１】「日付」ボタン４１１２を押下すると表示される画面例を示す図である。
【図２２】地紋画像の詳細情報を設定するための画面例を示す図である。
【図２３】地紋画像の詳細情報を設定するための画面例を示す図である。
【図２４】浮き出し／白抜きを説明するための図である。
【図２５】ローカルコピーの処理のフローチャートを示す図である。
【図２６】リモートコピーの処理のフローチャートを示す図である。
【図２７】ファクス送信する処理のフローチャートを示す図である。
【図２８】ファクス受信する処理のフローチャートを示す図である。
【図２９】リモートコピーの印刷ジョブ、ボックスの印刷ジョブの処理のフローチャートを示す図である。
【図３０】ＰＤＬデータ展開格納ジョブの処理のフローチャートを示す図である。
【図３１】プリント処理のフローチャートを示す図である。
【図３２】地紋付き画像の生成処理を説明するための図である。
【図３３】画像前変換処理のフローチャートを示す図である。
【図３４】優先文字列に従った地紋つき画像の生成処理のフローチャートを示す図である。
【図３５】複数の地紋画像が設定されている場合における地紋画像の印刷優先順位を設定するための画面を示す図である。
【図３６】設定された地紋画像が用紙サイズに収まらないことをユーザに警告する画面を示す図である。
【図３７】地紋プリント再設定の画面を示す図である。
【図３８】複数の地紋パターンが設定された場合に、各地紋パターンの優先順位に従って地紋つき画像を生成する処理を示す図である。
【図３９】地紋パターンのフォントに優先文字列が設定されている場合に、その優先文字列に従って地紋つき画像を生成する処理を示す図である。
【符号の説明】
【０２０５】
２０００  コントローラユニット
２００１  ＣＰＵ
２００２  ＲＡＭ
２００４  ＨＤＤ
２００６  操作部
２０１６  プリンタ画像処理部
２０１７  プリンタ
【図１】
2007129428.tif 000003
【図２】
2007129428.tif 000004
【図３】
2007129428.tif 000005
【図４】
2007129428.tif 000006
【図５】
2007129428.tif 000007
【図６】
2007129428.tif 000008
【図７】
2007129428.tif 000009
【図８】
2007129428.tif 000010
【図９】
2007129428.tif 000011
【図１０】
2007129428.tif 000012
【図１１】
2007129428.tif 000013
【図１２】
2007129428.tif 000014
【図１３】
2007129428.tif 000015
【図１４】
2007129428.tif 000016
【図１５】
2007129428.tif 000017
【図１６】
2007129428.tif 000018
【図１７】
2007129428.tif 000019
【図１８】
2007129428.tif 000020
【図１９】
2007129428.tif 000021
【図２０】
2007129428.tif 000022
【図２１】
2007129428.tif 000023
【図２２】
2007129428.tif 000024
【図２３】
2007129428.tif 000025
【図２４】
2007129428.tif 000026
【図２５】
2007129428.tif 000027
【図２６】
2007129428.tif 000028
【図２７】
2007129428.tif 000029
【図２８】
2007129428.tif 000030
【図２９】
2007129428.tif 000031
【図３０】
2007129428.tif 000032
【図３１】
2007129428.tif 000033
【図３２】
2007129428.tif 000034
【図３３】
2007129428.tif 000035
【図３４】
2007129428.tif 000036
【図３５】
2007129428.tif 000037
【図３６】
2007129428.tif 000038
【図３７】
2007129428.tif 000039
【図３８】
2007129428.tif 000040
【図３９】
2007129428.tif 000041